(57)【要約】【課題】赤外線リモコンのようにリモコン装置を制御対象機器に向けながら操作を行う必要がないため、利用者の意図しない間にリモコン装置から制御対象機器へ指示信号が送信され、勝手に制御対象機器が動作してしまう。【解決手段】リモコン装置１００の内部には回路基板部１２０が配置されており、さらに回路基板部１２０にはアンテナ１３０、アンテナ１４０が接続されている。アンテナ１３０とアンテナ１４０は、リモコン装置１００の長手方向に、回路基板部１２０を対照としてそれぞれ逆方向に伸びている。【選択図】図２
2010109960.tif 000002
【特許請求の範囲】
【請求項１】
無線通信により制御対象機器に電波を送信するリモコン装置であって、
少なくとも２つのアンテナのうち第１のアンテナは保持した時の手により電波の一部または全部が遮蔽されるように重心点の近傍箇所に配し、
第２のアンテナは前記第１のアンテナよりも電波が遮蔽されない箇所に配する
リモコン装置。
【請求項２】
第１のアンテナ及び第２のアンテナは、２．４ＧＨｚの変復調信号を送信する請求項１記載のリモコン装置。
【請求項３】
制御対象機器に対して、第１のアンテナまたは第２のアンテナのうちどちらか一方のアンテナから電波を送信した後、所定時間後に他方のアンテナから電波を送信する請求項２記載のリモコン装置。
【請求項４】
制御対象機器に対して送信する電波信号には、第１のアンテナから送信した電波であるのか第２のアンテナから送信した電波であるのかを識別できる情報を付加したことを特徴とする請求項３記載のリモコン装置。
【請求項５】
第１のアンテナの指向性は、第２のアンテナの指向性と比較して狭いことを特徴とする請求項４記載のリモコン装置。
【請求項６】
請求項１から５のいずれか１項に記載のリモコン装置から送られる電波を受信する制御対象機器であって、
前記リモコン装置から送信される制御内容を含む電波を受信する受信手段と、
前記受信手段で受信した電波強度を演算する電波強度演算手段と、
前記リモコン装置に備えられた第１のアンテナまたは第２のアンテナのうちどちらか一方のアンテナから送信される電波の電波強度と他方のアンテナから送信される電波の電波強度とを比較して、その比較結果に応じて第１のアンテナまたは第２のアンテナから送信される制御内容を実行するか否かを判定する制御手段と、
を備える制御対象機器。
【発明の詳細な説明】
【技術分野】
【０００１】
本発明は、無線信号を使った機器のリモコン装置と、そのリモコン装置により制御を行う制御対象機器に関するものである。
【背景技術】
【０００２】
従来のこの種のリモコン装置は、無線通信により制御対象機器と通信を行うことができるものであり、通信路の障害による光学信号の遮断に対して無線信号を用いて、光学的遮蔽物の影響を除去し、通信信頼性を確保するものであった（例えば、特許文献１参照）。
【特許文献１】特開平１１−１９６４７９号公報
【発明の開示】
【発明が解決しようとする課題】
【０００３】
しかしながら、従来のような無線通信を行うリモコン装置は、赤外線リモコンのようにリモコン装置を制御対象機器に向けながら操作を行う必要がないため、利用者の意図しない間にリモコン装置から制御対象機器へ指示信号が送信され、勝手に制御対象機器が動作してしまうという問題がある。
【０００４】
例えば、卓上に置いた無線通信を行うリモコン装置の上を、ペットが歩くだけでも制御対象機器の電源が操作されることは十分にあり得ることである。また、雑誌の間に挟まれたリモコン装置を、無意識に肘で押すことも考えられる。
【０００５】
そこで本発明は、利用者がリモコンを手に持ち、意図的に操作したい時を検出し、その時だけ制御対象機器の操作が可能な無線式のリモコン装置を提供する。
【課題を解決するための手段】
【０００６】
前記従来の課題を解決するために、本発明の無線通信により制御対象機器に電波を送信するリモコン装置は、少なくとも２つのアンテナのうち第１のアンテナは保持した時の手により電波の一部または全部が遮蔽されるように重心点の近傍箇所に配し、第２のアンテナは第１のアンテナよりも電波が遮蔽されない箇所に配するものである。
【０００７】
これにより、利用者が意志を持ってリモコン装置を操作した時のみ、リモコン装置の制御信号を有効とすることができる。
【発明の効果】
【０００８】
本発明のリモコン装置は、筐体内に配した複数のアンテナのうち一方のアンテナは保持した時の手により電波の一部または全部が遮蔽されるように重心点の近傍箇所に配し、他方のアンテナは前記一方のアンテナよりも電波が遮蔽されない箇所に配するため、利用者が意志を持ってリモコン装置を操作した時のみ、リモコン装置の制御信号を有効とすることができる。
【発明を実施するための最良の形態】
【０００９】
第１の発明はリモコン装置に関するもので、少なくとも２つのアンテナのうち第１のアンテナは保持した時の手により電波の一部または全部が遮蔽されるように重心点の近傍箇所に配し、第２のアンテナは第１のアンテナよりも電波が遮蔽されない箇所に配するものである。
【００１０】
これによれば、利用者が意志を持ってリモコン装置を操作した時のみ、リモコン装置の
制御信号を有効とすることができる。
【００１１】
第２の発明は、特に第１の発明において、第１のアンテナ及び第２のアンテナは２．４ＧＨｚの変復調信号を送受信するものである。２．４ＧＨｚ帯は、その特性として、人体の水分による電波吸収の影響を著しく受けることになり、より確実に、利用者がリモコン装置を手に持って操作したか否かの判定を容易かつ確実とするものである。
【００１２】
第３の発明は、特に第２の発明において、第１のアンテナまたは第２のアンテナのうちどちらか一方のアンテナから電波を送信した後、所定時間後に他方のアンテナから電波を送信するものである。
【００１３】
これによれば、制御対象機器はその決められたタイミングで受信を開始し、正常に受信できたものが他方のアンテナからのリモコン信号と判定できるので、近辺の同一周波数帯の無線ＬＡＮ通信からの影響や、台所の電子レンジによって発生する外乱雑音による影響を低く抑えることができる。
【００１４】
第４の発明は、特に第３の発明において、制御対象機器に対して送信する電波信号には、第１のアンテナから送信した電波であるのか第２のアンテナから送信した電波であるのかを識別できる情報を付加したものである。
【００１５】
これによれば、制御対象機器側において、リモコン信号受信時に復調と同時に、電界強度信号を測定することで、信号強度と送信アンテナ情報を一度に得ることができるものである。
【００１６】
第５の発明は、特に第４の発明において、第１のアンテナの指向性を第２のアンテナの指向性よりも狭くするものである。これによれば、利用者がリモコン装置を手に持って操作したか否かの判定精度を高めることができる。
【００１７】
第６の発明は、無線通信により電波を送信するリモコン装置から送られる電波を受信する制御対象機器に関するものであって、リモコン装置の筐体内に配した複数のアンテナから送信される制御内容を含む電波を受信する受信手段と、受信手段で受信した電波強度を演算する電波強度演算手段と、第１のアンテナまたは第２のアンテナのうちどちらか一方のアンテナから送信される電波の電波強度と他方のアンテナから送信される電波の電波強度を比較して、その比較結果に応じて前記一方のアンテナまたは前記他方のアンテナから送信される制御内容を実行するか否かを判定する制御手段を備えるものである。
【００１８】
これによれば、利用者が意志を持ってリモコン装置を操作した時のみ、リモコン装置の制御信号を有効とすることができる。
【００１９】
以下、本発明の実施の形態について、図面を参照しながら説明する。なお、この実施の形態によって本発明が限定されるものではない。
【００２０】
（実施の形態１）
図１は、本発明のリモコン装置１００である。リモコン装置１００の表面には、利用者が操作入力を行える操作部１１０が配置されている。また、リモコン装置１００の筐体内部には図２に示すように回路基板部１２０が配置されており、さらに回路基板部１２０にはアンテナ１３０、アンテナ１４０が接続されている。
【００２１】
アンテナ１３０とアンテナ１４０は、リモコン装置１００の長手方向に、回路基板部１２０を対照としてそれぞれ逆方向に伸びて形成される。これは、図３に示すように使用者
がリモコン装置１００を手にしたときに、アンテナ１４０が使用者の掌に覆いかぶさり、アンテナ１３０が使用者の掌に覆いかぶさらない位置とするためである。
【００２２】
なお、アンテナ１４０が使用者の掌に覆いかぶさり、アンテナ１３０が使用者の掌に覆いかぶさらない位置とするためであれば、リモコン装置１００の重心点に近傍にアンテナ１４０を配置し、リモコン装置１００の重心点から離れた位置にアンテナ１３０を配置してもよい。特に、アンテナ１３０をリモコン装置１００の先端部分に配置しておけば、手の形状からしてアンテナ１３０とアンテナ１４０を同時に掌で覆うことができないから、本発明にとって効果的である。また、仮にリモコン装置が円盤状であったとしても、使用者がリモコン装置を手にしたときに、一方のアンテナが掌で覆いかぶさる位置に、他方のアンテナを掌で覆いかぶさらない位置に配置することで本発明が成立することは言うまでもない。
【００２３】
アンテナ１３０、アンテナ１４０からは２．４ＧＨｚ帯の周波数で変調または復調された信号が送受信される。なお、周波数は２．４ＧＨｚ帯に限らず、アンテナ１３０またはアンテナ１４０から発せられる電磁が人体により遮蔽される周波数帯であれば本発明の効果を達成することができる。また、回路基板部１２０からアンテナ１３０、アンテナ１４０を介して送信される電波は同じ信号であるが、送信タイミングについてはアンテナ１３０を介して先に送信し、所定時間（Ｔ）後にアンテナ１４０を介して送信を行う。また、リモコン装置１００から送信される電波信号には、アンテナ１３０を介して送信されたものであるのか、アンテナ１４００を介して送信されたものであるのかを識別できる識別情報が付加されており、受信側で送信に用いたアンテナを特定することができる。
【００２４】
なお、アンテナ１３０及びアンテナ１４０から送信される電波信号は、同一周波数帯の外乱（例えばノイズや他の無線ＬＡＮ、電子レンジからのリーク電波）を考慮して、２度続けて同じ信号を送信してもよい。
【００２５】
また、アンテナ１４０の指向性を調整し、リモコン装置１００の背面から電波を発信する構成とすることで、利用者の人体による減衰を受けやすい構造とし、本発明の目的とする利用者の手持ちの判定をより確実にすることができる。
【００２６】
また、リモコン装置１００の背面の構造を手で握りやすく成形し、利用者の手がアンテナ１４０の近い所となるように工夫することもできる。
【００２７】
図４に示すように、リモコン装置１００は制御対象機器２００と無線通信により送受信できる。制御対象機器２００は、具体的には、リモコン装置１００で操作できるテレビやエアコンといった機器である。また、制御対象機器２００は、無線通信による送受信を行う送受信部２１０と、送受信部２１０を制御する制御部２２０から構成されている。
【００２８】
次に、制御部２２０がリモコン装置１００から発せられる電波を受信したときの処理動作について図５に示す。制御部２２０は、常時リモコン装置１００からの電波を受信待機しており、送受信部２１０がアンテナ１３０からの電波を受信したことを制御部２２０で検知すると（ステップ５０１）、制御部２２０は所定期間（Ｔ）だけアンテナ１４０から送信される電波を待ち、アンテナ１４０からの電波を受信する（ステップ５０２）。
【００２９】
そして、制御部２２０は、アンテナ１３０からの電波強度と、アンテナ１４０からの電波強度との差分を演算し（ステップ５０３）、差分値が所定値よりも大きいか否かを判断する（ステップ５０４）。
【００３０】
差分値が所定値よりも大きい場合は（ステップ５０４、Ｙ）、リモコン装置１００が使
用者の手に持たれているとみなせるので、受信電波信号の制御内容に従って動作を行う（ステップ５０５）。一方、差分値が所定値よりも小さい場合は（ステップ５０４、Ｎ）、リモコン装置１００が使用者の手に持たれているとはみなせないので、制御対象機器２００は受信電波信号の制御内容を無効として、制御内容を行わないようにする（ステップ５０６）。
【００３１】
以上のように、本発明は、利用者がリモコン装置１００を持って操作したか否かの判定を容易とするものである。具体的には、無線通信において人体の水分による電波吸収の影響を著しく受ける２．４ＧＨｚを用い、リモコン装置１００が有する異なる位置に配置されたアンテナからの受信強度により利用者が操作したか否かの判定を行うものである。このため、一方のアンテナは利用者に人体の影響を受けにくい、手から離れた位置に配置し、他方のアンテナは利用者が持つ手に近い位置に配置される。
【００３２】
（実施の形態２）
第１の実施の形態では、利用者がリモコン装置１００を持って操作したか否かの判定手段として、使用者の掌に覆いかぶさる位置にアンテナ１４０を配置し、使用者の掌に覆いかぶさらない位置にアンテナ１３０を配置した。第２の実施の形態では、利用者がリモコン装置１００を持って操作したか否かの判定手段として別手段を示す。
【００３３】
図６（ａ）はリモコン装置１００の背面図であり、リモコン装置１００の略中央部に赤外線センサー１６０を設けている。また、図６（ｂ）は、リモコン装置１００の横側面図であり、リモコン装置１００の側面片側に押しボタン式のスイッチ１６５として突出して設けられている。
【００３４】
利用者がリモコン装置１００の重心部を手で握ると、赤外線センサー１６０は利用者の手の温度を検出する。さらに、利用者がリモコン装置１００を握るときに側面に設けたスイッチ１６５が手で押し込まれる構造とする。これによれば、利用者がリモコン装置１００を手で持って操作しているかを知ることができる。
【００３５】
次に、図７にリモコン装置１００のブロック構成図を示す。手持ち検出手段１７０は、赤外線センサー１６０とスイッチ１６５の出力結果を演算し、その演算結果を回路基板部１２０に出力する。具体的に、手持ち検出手段１７０は、赤外線センサー１６０が利用者の握りを検知し、かつスイッチ１６５が押されている場合に、利用者がリモコン装置１００を握っていると判断し、その結果を回路基板部１２０へ出力する。
【００３６】
この様にリモコン装置を利用者が持って操作しているかを判定することで、卓上や床に置いたリモコンをペットが踏みつけたり、雑誌や新聞に挟まれた、リモコン装置から機器操作の意志無く機器操作をすることを防止できる。
【００３７】
次に、図８にリモコン装置１００の制御手順を示す。まず、利用者が、操作した制御対象機器２００の操作部１１０から、操作対象機器２００が指定された危険及ぼす機器（例えば、ガス機器や暖房機器、消費電力が大きな機器）であるか否かを判定する（Ｓ８０１）。これは、予め、リモコン装置１００の操作機器別の制御コマンドで判別でき、リモコン装置１００の操作部１１０ンが押された時に発生する制御対象機器２００への制御コマンドが危険機器の区分に該当するか否かを監視することで実現できる。
【００３８】
Ｓ８０１において、制御対象機器２００が大電力消費機器であれば、リモコン装置１００の背面の赤外線センサー１６０か、リモコン装置１００の側面のスイッチ１６５により利用者がリモコン装置１００を手持ちしているかどうかを検出する（Ｓ８０２）。
【００３９】
Ｓ８０２において、利用者がリモコン装置１００を手持ちしていれば、リモコンの操作を有効と判定して（Ｓ８０３）、操作許可受付音（例えば、“ピッ”という音）を報知し（Ｓ８０４）、制御コマンドを無線送信する（Ｓ８０５）。
【００４０】
また、Ｓ８０２において、赤外線センサー１６０の出力やスイッチ１６５の出力が確認できなければ、リモコン操作は無効として（ＳＴ６）、コマンド受付否許可音（例えば、“ブー”という音）を発音し（Ｓ８０７）、処理を終える。
【００４１】
利用者は操作許可受付音やコマンド受付否許可音を聞くことで、操作が正しく受け付けられたか、拒否されたかを知ると同時に、コマンド受付否許可音を発音した場合は、リモコン装置が何処にあるかを同時に知ることができるので、例えば、リモコンが、新聞や雑誌に隠れていても、リモコンを見つけ出し、再度正しい操作をできると言う、メリットもある。
【００４２】
なお、実施の形態１および実施の形態２において、アンテナ１４０の指向性を、アンテナ１３０の指向性と比較して狭くすることで、リモコンを握る手をアンテナ１４０から発射された電波が確実に透過することになり、人体によって、無線電波が減衰を受ける事がより確実となる。そのために、リモコン装置１００を図９に示す構成とする。図９は、リモコン装置１００の横側面を示しており、アンテナ１４０の電波がリモコン背面方向に放射されるように、反射板１８０を設けている。
【産業上の利用可能性】
【００４３】
以上のように、本発明にかかる無線リモコン装置は、利用者が意志を持ってリモコン装置を操作した時のみ、リモコン装置の制御信号を有効とすることができる。
【図面の簡単な説明】
【００４４】
【図１】本発明の実施の形態１におけるリモコン装置の構成図
【図２】本発明の実施の形態１におけるリモコン装置の内部構成図
【図３】本発明の実施の形態１におけるリモコン装置の利用形態を示す図
【図４】本発明の実施の形態１におけるリモコン装置の利用形態を示す図
【図５】本発明の実施の形態１における制御対象機器の制御部の処理フロー図
【図６】本発明の実施の形態２における制御対象機器の構成図
【図７】本発明の実施の形態２における制御対象機器の内部構成図
【図８】本発明の実施の形態２における制御対象機器の制御部の処理フロー図
【図９】本発明の実施の形態におけるリモコン装置の構成図
【符号の説明】
【００４５】
１００  リモコン装置
１１０  操作部
１２０  回路基板部
１３０  アンテナ
１４０  アンテナ
２００  制御対象機器
２１０  送受信部
２２０  制御部
【図１】
2010109960.tif 000003
【図２】
2010109960.tif 000004
【図３】
2010109960.tif 000005
【図４】
2010109960.tif 000006
【図５】
2010109960.tif 000007
【図６】
2010109960.tif 000008
【図７】
2010109960.tif 000009
【図８】
2010109960.tif 000010
【図９】
2010109960.tif 000011